(57)【要約】  少なくとも２本の弦(6a〜6f)を備えたギター、特にエレキギター(１)、または少なくとも２本以上の弦を備えたベース、特にエレキベースの弦(6a〜6f)の張力調整装置であって、前記ギターまたはベースの各弦(6a〜6f)の一端は、前記ギターまたはベースのヘッドに設置された状態調整機構のペグポスト(７)に巻かれ、この状態調整機構は、ウォームギア(17)とウォームギアシャフト(16)とが組み合わされて構成され、これらギアの組み合わせにて調整される装置をさらに発展させ、この装置を用いることによりギターまたはベースの基本的な形状を大幅に変更することなく、これら楽器の各弦の張力を正確かつ確実に自動調整して最終的に調弦できるようにするため、ギターまたはベースのヘッドに設置した各状態調整機構に駆動装置(11)を取り付け、この駆動装置を状態調整機構のウォームギアシャフト(16)またはウォームギア(17)にと直接連結させることにより、ウォームギアシャフト(16)またはウォームギア(17)を駆動する方法を、この種の装置用に提案している。【選択図】図４
2007537472.tif 000002
【特許請求の範囲】
【請求項１】
少なくとも２本の弦(6a〜6f)を備えたギター、特にエレキギター(１)、または少なくとも２本以上の弦を備えたベース、特にエレキベースの弦(6a〜6f)の張力調整装置であって、
前記ギターまたはベースの各弦(6a〜6f)の一端は、前記ギターまたはベースのヘッドに設置された状態調整機構のペグポスト(７)に巻かれ、
この状態調整機構は、ウォームギアとウォームギアシャフトとが組み合わされて構成され、これらギアの組み合わせにて調整され、
ギターまたはベースのヘッド(４)に設置された各状態調整機構には、これら状態調整機構のウォームギアシャフト(16)またはウォームギア(17)に直接連結され、前記ウォームギアシャフト(16)またはウォームギア(17)を駆動する駆動装置(11)が取り付けられている
ことを特徴とする弦の張力調整装置。
【請求項２】
駆動装置(11)は、好ましくは電動モータである駆動モータ(12)と、ステップダウンギア機構(13,14,15)とが組み合わされて構成されている
ことを特徴とする請求項１の装置。
【請求項３】
ギター、特にエレキギター(１)、またはベース、特にエレキベースの弦を自動的に調整し、
調整する弦(6a〜6f)を弾いて得られた音を捕捉する捕音装置と、
各弦(6a〜6f)の基準音を記憶する記憶装置と、
捕捉した音を保存されている各弦(6a〜6f)の基準音と比較する比較装置と、
弦(6a〜6f)の張力調整装置を制御するコントローラ(10)と、を備えた自動調弦装置であって、
請求項１または２に準じた装置に構成されている
ことを特徴とする自動調弦装置。
【発明の詳細な説明】
【技術分野】
【０００１】
本発明は、請求項１の上位概念に従った少なくとも２本の弦を備えたギター、特にエレキギター(１)、または少なくとも２本の弦を備えたベース、特にエレキベースの弦の張力調整装置に関する。また、本発明は、ギターまたはベースの弦の張力の自動調弦装置に関する。
【背景技術】
【０００２】
ギターまたはベースにおいて、正確に調弦され、弦を弾いた際に正しい周波数の音波が形成され、希望する音が生じるようにするためには、二つの固定点間に張られた弦の張力を正確に調整する必要がある。
【０００３】
このため、ギターまたはベースの弦の一端は、通常トレモロシステムブロックなどに固定され、これら弦の他端は、いわゆるペグポストに巻き付けられ、このペグポストを絞ったり緩めたりすることにより、張力の強弱を調整して、正しい音が得られるようになっている。通常、このペグポストは、いわゆるペグを介して手で回して弦の張力を調整する。
【０００４】
特に、自動調弦が可能な弦楽器、すなわち弾いた弦の実際の音を基準音と比較し、この比較した結果に基づいて駆動装置を調節し、弦の張力を変更する制御装置が用いられている弦楽器では、弦の張力が自動的に駆動装置にて変更される必要がある。
【０００５】
ギターで使用できる例が、米国特許明細書４９０９１２６号に記載されている。この原理によると、弦は、ギターのボディに取り付けられている全ての弦に作用するレバーにより、まとめて張力が調整されるように構成されている。この装置は、比較的大きく形状にも問題があり、特に個々の弦を正確に調弦できないという点がある。
【０００６】
国際公開０３／０１２７７４号公報では、ギターのペグポストのそれぞれに、サーボ駆動装置が取り付けられており、関連するペグポストに取り付けられている弦の張力を調整できるように構成されている。この場合には、前記サーボ駆動装置がどのようにペグポストに接続されているかが明らかではない。公開されているのは、このサーボ駆動装置が、ギターのヘッドの側面に取り付けられている点である。
【発明の開示】
【発明が解決しようとする課題】
【０００７】
本発明は、上述のようにギターまたはベースの基本的な形状を大幅に変更することなく、これら楽器の各弦の張力を自動的に正確かつ確実に調整し、最終的に調弦できる装置を提供することを課題としている。本装置は、特に既存の楽器に後取けできる。
【課題を解決するための手段】
【０００８】
本発明は、上記課題を請求項１の特徴を有する装置にて解決している。
【０００９】
従属する請求項２は、本発明の他の好適実施例である。
【００１０】
さらに請求項３は、ギターまたはベースの弦の張力を調整する本発明の装置を備えたギターまたはベースの自動調弦装置である。
【発明の効果】
【００１１】
本発明の基本概念は、各状態調整機構のそれぞれに駆動装置が設置され、これら各状態調整機構にウォームギアおよびウォームギアシャフトを直接連結させるという考えである。弦の張力を自動的に調整する駆動装置を装備していない従来のギターでも、ウォームギアとウォームギアシャフトとを組み合わせることによって、ペグポストを、このペグポストを回転させる手段に連結させる。従来のギターの場合は、ペグポストを回転させる手段が、いわゆるペグである。ギターまたはベースの場合は、ウォームギアとウォームギアシャフトとを組み合わせることによって、状態調整機構にて調整され、一つのペグポストに巻かれて張られた弦が、この弦の張力によって動いてしまうという事態や、最終的に緩んでしまうという事態が生じにくいように構成されている。
【００１２】
本発明においては、駆動装置をウォームギアシャフトまたはウォームギアに直接連結させることにより、調整がペグポストと駆動装置との間にも作用し、駆動装置が継続的に力を加え続けなくても、弦を希望する張力に維持できるように構成されている。さらに、駆動装置は、弦の調整用として、弦の張力が適切に調整された後に、そのスイッチが切れるように制御することも可能である。この場合、スイッチが切れた後は、駆動装置とペグポストとの間の調整によって弦の巻き取りが防止され、弦が希望する張力に維持される。
【００１３】
上述のように、本発明の構造の装置にすることにより、個々の調整装置を備えた駆動装置を使用する必要がなくなる。また、駆動装置をペグポストやペグに設けられている調整機構に直接取り付ければ、スペースや重量の削減が可能となり、ギターまたはベースのヘッドに取り付けても余り目立たないという効果も得られる。
【００１４】
請求項２で示した本発明の好ましい実施例では、駆動モータと伝動ギアとを組み合わせたものを駆動装置としている。この場合は、駆動モータを電動モータとすることが好ましい。伝動ギアがステップダウンギア機構になっているため、低トルクの小型モータを使用できるとともに、弦の張力調整に必要なトルクを充分得ることができる。この場合は、駆動装置がモータとステップダウンギア機構との１つの小型ユニットにすることも可能で、２つの部分、すなわちモータとステップダウンギア機構とを分離することも可能である。
【００１５】
請求項３で示したように、本発明の装置は、特にギターまたはベースの弦の自動調弦装置に使用することに適している。この場合は、弾いて得られた実際の音が捕音装置で捉えられ、この捕音装置から比較装置へ送られて記憶装置に記憶されている基準音と比較される。この比較に基づいて前記弦に関連している駆動装置を調節して、これら弦を正確に調整し実際の音と基準音とを一致させる。
【発明を実施するための最良の形態】
【００１６】
本装置の他の長所や特徴は、添付した図面にて実施例を詳細に示した次の記載から明らかになる。
【００１７】
図１は、本発明を実現させたるギターの三次元平面概略図である。
【００１８】
図２は、図１のエレキギターを裏から見た三次元平面概略図である。
【００１９】
図３は、前記ギターのヘッドに取り付けられた駆動装置の拡大図であって、(a)〜(d)の四種類の平面図である。
【００２０】
図４は、状態調整機構のウォームギアシャフトおよびウォームギアの組み合わせと駆動装置との連結状態を示した状態調整機構の三次元平面概略図である。
【００２１】
これら図面では、同じ構成要素に同じ番号が付されている。
【００２２】
図１および図２は、エレキギター１を前面から見た場合と、裏から見た場合の各平面図が、それぞれ三次元の概略図で示されている。このエレキギターは、ボディ２、ネック３およびヘッド４を備えている。ボディ２には、固定ブロック、この実施例の場合はトレモロシステムブロック５が取り付けられており、このトレモロシステムブロックには、前記ギターの弦6a〜6fの一端を固定させた状態で取り付けられている。ボディ２からは、弦6a〜6fがネック３を介してギターのヘッド４まで延長されて引かれて、ペグポスト７に巻き付けられている。このペグポスト７は、状態調整機構を介してペグ８に連結されており、このペグを回すとペグポスト７が回転し、その結果として弦6a〜6fの張力が調整される。この図面では、状態調整機構のうち、ペグポスト７とペグ８とが表示されているに過ぎないが、この状態調整機構のペグポスト７とペグ８との間には、ウォームギアとウォームギアシャフトとを組み合わせたものが取り付けられており、この機構によって各状態調整機構の自己調整作用を得ている。言い換えると、各ペグ８を回転させることによって、これらペグに関連するペグポスト７から張力を掛けられた状態で張られている弦6a〜6fは、ペグポスト７に作用する弦の張力によって再び緩むことがないように構成されている。そして、ペグポスト７は、ウォームギアとウォームギアシャフトとの連動にて生じる自己規制作用によって、位置が固定され、弦6a〜6fが張力を保った状態に維持される。
【００２３】
さらに、図１からは、ギター１のボディ２の弦6a〜6fの下に、いわゆるピックガード９が取り付けられていることが分かる。
【００２４】
図２からは、ボディにコントローラ10が設置されていることが分かるが、このコントローラについては後述するものの、必ずしも本発明の必須要素ではない。
【００２５】
ここで、この図面で重要なことは、状態調整機構に直接設置されている駆動装置11である。この実施例の場合は、この駆動装置11の出力軸が関連する状態調整機構のウォームギアシャフトに直接連結されているため、駆動装置自体が自己調整作用を有さなくても、この状態調整機構の自己調整作用を最大限に活用できるように構成されている。この実施例の駆動装置は、電動モータと、この後方に接続されているステップダウンギア機構とを組み合わせたもので構成されており、この場合は、この電動モータとステップダウンギア機構とを組み合わせたものに自己調整作用がない。駆動装置11のギアユニットの出力軸は、それぞれ簡単な組み合わせのギアを介して、関連するペグポスト７を構成要素とするメカニズムのウォームギアシャフトに直接連結されている。
【００２６】
駆動装置11と、ペグポスト７およびペグ８を備えた状態調整機構との位置関係については、図３(a)〜(d)でより詳細に示されており、これらのうち図３(d)は、図３(c)中のＤの記号で示されている部分を拡大した図面である。
【００２７】
図４では、機構と、これに連結された駆動装置11が拡大されて示されており、前記機構を取り囲むようにハウジングが取り付けられている場合もあるが、この図面ではハウジングのない状態を示している。この図面は、ペグポスト７、ペグ８および駆動装置11の基本的な連結状態が分かる。駆動装置11は、ここでは電動モータである駆動モータ12と、ステップダウンギア機構であるギアユニット13とで構成されている。この図面は、モータとギアユニットとが示されている。前記ギアユニットの出力軸にギア14が取り付けられ、前記ギアユニットは、ウォームギアシャフト16に取り付けられているギア15に噛み合っている。ギア14,15は、原理的にモータ12の後方に接続されているギアユニット13の構成要素になっている。ギア14,15は、もう一つのステップダウンギア機構を形成している。
【００２８】
上述の図４で示した構造にすることにより、駆動装置11は、状態調整機構のウォームギアシャフト16と直接連結させることになる。また、このウォームギアシャフトも、ペグポスト７に取り付けられたウォームギア17に連動し、その結果として、前記状態調整機構は、自己調整作用を得ることができるようになっている。
【００２９】
前記実施例のエレキギター１の場合、駆動装置11は、ギターの自動調弦装置内に組み込まれている。この自動調弦装置は、下記の装置から構成されている。すなわち、各弦6a〜6fを弾いた際に得られる各音を捕捉する捕音装置(図示せず)、各弦6a〜6fの基準音または各基準音に対応するデータが記憶されている記憶装置(図示せず)、捕捉した音またはそれらの音に対応するデータ、具体的には周波数などを記憶されている基準音と比較する比較装置、コントローラ10、および駆動装置11である。
【００３０】
ギターを自動調弦するには、先ずギターの弦6a〜6fを弾き、弾いたことによって発生した音が捕音装置で捉えられて比較装置へ送られる。この比較装置では、送られてきた音またはその音に対応するデータを、記憶装置に記憶されている基準音またはその基準音に対応したデータと比較し、この比較結果がコントローラ10へ伝えられる。この場合、比較装置は、前記記憶装置と同様に、コントローラ10の構成要素に成り得る。前記コントローラ10からは、制御信号が、弾かれた弦6a〜6fが巻かれているペグポスト７へ、さらに関連する駆動装置11へ送られ、最終的に駆動装置11にて関連するペグポスト７が巻かれて対応する弦6a〜6fの張力が変更され、基準音の音が弦から発生するように調節される。
【００３１】
ギターまたはベースの弦の張力を調整する本発明の装置は、主にこの種の楽器の自動調弦装置に利用できるが、用途はそのような自動調弦装置に限定されるものではない。
【図面の簡単な説明】
【００３２】
【図１】本発明を実現させたるギターの三次元平面概略図である。
【図２】図１のエレキギターを裏から見た三次元平面概略図である。
【図３】前記ギターのヘッドに取り付けられた駆動装置の拡大図であって、(a)〜(d)の四種類の平面図である。
【図４】状態調整機構のウォームギアシャフトおよびウォームギアの組み合わせと駆動装置との連結状態を示した状態調整機構の三次元平面概略図である。
【符号の説明】
【００３３】
１    エレキギター
２    ボディ
３    ネック
４    ヘッド
５    トレモロシステムブロック
6a〜6f    弦
７    ペグポスト
８    ペグ
９    ピックガード
10    コントローラ
11    駆動装置
12    モータ
13    ギアユニット
14    ギア
15    ギア
16    ウォームギアシャフト
17    ウォームギア
【図１】
2007537472.tif 000003
【図２】
2007537472.tif 000004
【図３】
2007537472.tif 000005
【図４】
2007537472.tif 000006
【国際調査報告】
2007537472.tif 000007
2007537472.tif 000008
2007537472.tif 000009
2007537472.tif 000010